(57)【要約】【課題】  一般的なマスカラ容器は、部品点数も多くコストがかかり試供品として提供することは不向きであり、使い捨てのマスカラブラシとして、１〜３回分のマスカラが充填されたキャップを備えたものでは、１回の使用量を適量にブラシ部分に付着させることは困難なものである。【解決手段】  本発明は、キャップ１と容器２から成り、容器本体２ａと、容器本体に雌螺子を螺設した容器側螺子部２ｂと、容器側螺子部と螺合する雄螺子を螺設したキャップ側螺子部１ｂと、キャップ側螺子部に支持杆１ｃを介して延設させた塗布部１ａと、キャップ側螺子部に延設させ開口部１ｅを有したキャップ本体１ｄとを備え、塗布部には予め化粧料を付着させると共に、開口部には容器本体が挿通され、更に、塗布部と支持杆との間に接続部３を設け、更には、容器本体の内側にシゴキ栓４を備えたものである。【選択図】  図１
2005028080.tif 000002
【特許請求の範囲】
【請求項１】
先端に塗布部を形成したキャップと、該塗布部を収納する容器から成る試供品用マスカラ等容器であって、先端を閉鎖させた筒状の容器本体と、該容器本体の基端を拡径させて内側に雌螺子を螺設した容器側螺子部と、該容器側螺子部と螺合する雄螺子を螺設したキャップ側螺子部と、該キャップ側螺子部の先端側に支持杆を介して延設させた塗布部と、前記キャップ側螺子部の基端側に延設させ基端に開口部を有した筒状のキャップ本体とを備え、前記塗布部には予め１回乃至数回分の化粧料を付着させると共に、前記キャップ本体の開口部に前記容器本体の先端が挿脱自在に挿通されることを特徴とする試供品用マスカラ等容器。
【請求項２】
前記塗布部と前記支持杆との間に着脱可能とする接続部を設けたことを特徴とする請求項１に記載の試供品用マスカラ等容器。
【請求項３】
前記容器の容器本体の内側にシゴキ栓を備えたことを特徴とする請求項１又は請求項２に記載の試供品用マスカラ等容器。
【発明の詳細な説明】
【技術分野】
【０００１】  本発明はマスカラ等の試供品を提供する容器に関するものであり、更に詳細には、予め塗布部に１回乃至数回の化粧料を付着させて試供させる使い捨てのマスカラ等容器に関するものである。
【背景技術】
【０００２】  従来、この種のマスカラ等容器は、例えば、容器に化粧料を充填し、キャップに備えた塗布具を化粧料に含浸させて、使用する際にしごいて塗布具に付着する化粧料の量を適量にして塗布するもの（特許文献１参照）や、簡易で安価な容器と塗布棒を用いているものは、容器に化粧料を充填し、その都度、塗布棒を容器の化粧料に含浸させて付着させ、容器の開口部を小径とすることでしごいて化粧料の量を適量にして塗布するもの（特許文献２参照）や、又、使い捨てのマスカラブラシとして、指でつまんで操作するためのピンチと睫毛を整えるためのブラシ部分と、少なくとも前記ブラシ部分を脱着自在に覆い、かつ１〜３回分のマスカラが充填されたキャップを備えたもの（特許文献３参照）等が開示されている。
【特許文献１】特開２００３−３８２４４号公報
【特許文献２】特開２００１−３４６６２６号公報
【特許文献３】登録実用新案第３０９４４７６号公報
【発明の開示】
【発明が解決しようとする課題】
【０００３】  然し乍ら、容器に化粧料を充填し、キャップに備えた塗布具を化粧料に含浸させて、使用する際にしごいて塗布具に付着する化粧料の量を適量にして塗布するものは、通常使うマスカラ容器であり、部品点数も多くコストがかかり試供品として提供することは不向きであり、又、簡易で安価な容器と塗布棒を用いているものは、容器に化粧料を充填し、その都度、塗布棒を容器の化粧料に含浸させて付着させ、容器の開口部を小径とすることでしごいて化粧料の量を適量にして塗布するもので、廉価に提供するものではあるが、試供品としては適当なものとは云えず、更に、使い捨てのマスカラブラシとして、指でつまんで操作するためのピンチと睫毛を整えるためのブラシ部分と、少なくとも前記ブラシ部分を脱着自在に覆い、かつ１〜３回分のマスカラが充填されたキャップを備えたものでは、キャップに１〜３回分のマスカラが充填しており、１回の使用量を適量にブラシ部分に付着させることは非常に困難なものである。
【課題を解決するための手段】
【０００４】  本発明の試供品用マスカラ等容器は、前述の課題に鑑み、鋭意研鑽の結果、キャップと容器から成る試供品用マスカラ等容器であって、先端を閉鎖させた容器本体と、容器本体の基端内側に雌螺子を螺設した容器側螺子部と、容器側螺子部と螺合する雄螺子を螺設したキャップ側螺子部と、キャップ側螺子部の先端側に支持杆を介して延設させた塗布部と、キャップ側螺子部の基端側に延設させ開口部を有したキャップ本体とを備え、塗布部には予め化粧料を付着させると共に、キャップ本体の開口部には容器本体の先端が挿通されるものであり、更に、塗布部と支持杆との間に接続部を設けたものであり、更には、容器の容器本体の内側にシゴキ栓を備えたものである。
【発明の効果】
【０００５】  本発明の試供品用マスカラ等容器は、夫々一体に形成されたキャップと容器から成るもので、部品点数が最小であり廉価で提供できると共に、塗布部には予め１回乃至数回分の化粧料を付着させているもので、実施例では１．５回の化粧料を予め付着させていることにより、１回の塗布を施すことができ使用後は破棄するものであり、更に、キャップ本体の開口部に容器本体の先端を挿通させるようにしたことによって、使用時に長くなり使い勝手の良いものであり、更には、塗布部と支持杆しの間に着脱可能とする接続部を設けたことによって、塗布部をブラシ状、クシ状、筆状、スポンジ状等に交換ができ、化粧料もマスカラ、アイライナー、アイシャドウ、口紅等に適応できるものであり、加えて、シゴキ栓を備えることによって、数回使用できる一般容器としても利用できるもので、画期的で有意義な効果を奏し実用性の高いものである。
【発明を実施するための最良の形態】
【０００６】  本発明はマスカラ等の試供品を提供する容器に関するものであり、更に詳細には、予め塗布部に１回乃至数回の化粧料を付着させて試供させる使い捨てのマスカラ等容器に関するものであり、請求項１に記載の試供品用マスカラ等容器は、先端に塗布部１ａを形成したキャップ１と、該塗布部１ａを収納する容器２から成る試供品用マスカラ等容器であって、先端を閉鎖させた筒状の容器本体２ａと、該容器本体２ａの基端を拡径させて内側に雌螺子を螺設した容器側螺子部２ｂと、該容器側螺子部２ｂと螺合する雄螺子を螺設したキャップ側螺子部１ｂと、該キャップ側螺子部１ｂの先端側に支持杆１ｃを介して延設させた塗布部１ａと、前記キャップ側螺子部１ｂの基端側に延設させ基端に開口部１ｅを有した筒状のキャップ本体１ｄとを備え、前記塗布部１ａには１回乃至数回分の化粧料を予め付着させると共に、前記キャップ本体１ｄの開口部１ｅに前記容器本体２ａの先端が挿脱自在に挿通されるものである。【０００７】  更に、請求項２に記載の試供品用マスカラ等容器は、請求項１に記載の試供品用マスカラ等容器において、前記塗布部１ａと前記支持杆１ｃとの間に着脱可能とする接続部３を設けたものである。【０００８】  更には、請求項３に記載の試供品用マスカラ等容器は、請求項１又は請求項２に記載の試供品用マスカラ等容器において、前記容器２の容器本体２ａの内側にシゴキ栓４を備えたものである。
【実施例】
【０００９】  以下、本発明の試供品用マスカラ等容器の実施例の図面を用いて詳細に説明すると、図１は本発明の試供品用マスカラ等容器の実施例１を説明するための組立説明図であり、図２は本発明の試供品用マスカラ等容器の実施例１を説明するための分解説明図であり、図３は本発明の試供品用マスカラ等容器の実施例１の使用状態を表す説明図であり、図４は本発明の試供品用マスカラ等容器の実施例２の塗布部１ａの実施の形態の説明図であり、図５は本発明の試供品用マスカラ等容器の実施例３の容器の説明図である。【００１０】  即ち、本発明の試供品用マスカラ等容器は、実施例の図１に図示するように、夫々一体に形成されたキャップ１と容器２から成るもので、キャップ１の先端に形成した塗布部１ａは容器２に収納されるものである。【００１１】  そして、試供品用マスカラ等容器とは、マスカラ、アイライナー、アイシャドゥ、口紅等の化粧品に用いることができ、更に、一度使って使い捨てにするメーカー、販売店等で試供品として配るためのものである。【００１２】  次いで、容器２は容器本体２ａと容器側螺子部２ｂとを一体に形成しており、容器本体２ａは先端を閉鎖させた筒状で後述するキャップ１の塗布部１ａを収納するものであり、容器側螺子部２ｂは容器本体２ａの基端を拡径させた短筒状で内側に雌螺子を螺設しており、後述するキャップ１に螺設したキャップ側螺子部１ｂと螺合するものである。【００１３】  次に、キャップ１はキャップ本体１ｄとキャップ側螺子部１ｂと支持杆１ｃを介した塗布部１ａとを一体に形成しており、キャップ本体１ｄは基端に開口部１ｅを有した筒状のもので、キャップ側螺子部１ｂはキャップ本体１ｄの先端側に縮径させて容器側螺子部２ｂと螺合する雄螺子を螺設しているものであり、塗布部１ａはキャップ側螺子部１ｂの先端側に棒状の支持杆１ｃを介して延設させているものである。【００１４】  更に、塗布部１ａは図１に図示する如く棒状部材の外周に多数の同径の環状部材を連設したブラシ状のものや、片側の側方にクシ歯を多数連設したクシ状のものや、先端を筆状にしたもの等、塗布できる構造のものなら構わないものである。【００１５】  そして、塗布部１ａには予め１回乃至数回分の化粧料を付着させているものであり、例えば、使用量の１回半分のマスカラ等の化粧料を付着させて、メーカーや販売店はユーザに試供品として手渡すものである。【００１６】  更には、図２図に図示する如く、キャップ本体１ｄの開口部１ｅに容器本体２ａの先端が挿脱自在に挿通されるものであり、つまり、当該る試供品用マスカラ等容器をユーザーが使用するとき、キャップ本体１ｄの開口部１ｅに容器本体２ａの先端を差し込み接続した状態で使用するもので、使用勝手の優れたものと成るものである。【００１７】  更に、実施例２では図３に図示する如く、キャップ１の塗布部１ａと前記支持杆１ｃとの間に着脱可能とする接続部３を設けたものであり、接続部３は片側に凹陥部を形成し、他側に該凹陥部に嵌着する突起部を形成したものでも構わなく、着脱できる構造のものなら構わないものである。【００１８】  更には、実施例３においては、図４に図示する如く、容器２の容器本体２ａの内側に柔軟性部材で漏斗状���形成したシゴキ栓４を備えたものであり、この場合、塗布部１ａに予め付着させる化粧料を数回分、例えば、５〜６回分を付着させるもので、シゴキ栓４により塗布部１ａに１回分の化粧料が残り化粧を施すもので、更に、キャップ１を容器２に戻し数回の使用するものである。
【産業上の利用可能性】
【００１９】  本発明の試供品用マスカラ等容器は、従来化粧品メーカーや販売店では、マスカラ、アイライナー、アイシャドゥ、口紅等の化粧品のサンプルを開封してその場で塗布させて試供しいたが、本発明の試供品用マスカラ等容器により１回半程度の化粧料を塗布具に付着させて手渡すことにより、ユーザーは持ち帰り自分で塗布することができ、試供品をじっくりと吟味することができるものである。
【図面の簡単な説明】
【００２０】
【図１】  図１は本発明の試供品用マスカラ等容器の実施例１を説明するための組立説明図である。
【図２】  図２は本発明の試供品用マスカラ等容器の実施例１を説明するための分解説明図である。
【図３】  図３は本発明の試供品用マスカラ等容器の実施例１の使用状態を表す説明図である。
【図４】  図４は本発明の試供品用マスカラ等容器の実施例２の塗布部の実施の形態の説明図である。
【図５】  図５は本発明の試供品用マスカラ等容器の実施例３の容器の説明図である。
【符号の説明】
【００２１】１      キャップ
１ａ    塗布部
１ｂ    キャップ側螺子部
１ｃ    支持杆
１ｄ    キャップ本体
１ｅ    開口部
２      容器
２ａ    容器本体
２ｂ    容器側螺子部
３      接続部
４      シゴキ栓
【図１】
2005028080.tif 000003
【図２】
2005028080.tif 000004
【図３】
2005028080.tif 000005
【図４】
2005028080.tif 000006
【図５】
2005028080.tif 000007